(57)【要約】【課題】所定長さに切断した管の端部にエルボやチーズなどの配管継手を取付けた配管半製品の雌ねじ孔が錆びるのを防止し、更に配管半製品内に異物が入り込むのを防止する簡単で安価な技術手段を得る。【解決手段】管８に接続された配管継手６の開放された雌ねじ孔７に嵌挿される合成樹脂製のキャップ１ａを提供する。このキャップは、好ましくは一条の雄ねじを設けたプラグ型のものか、配管継手の雌ねじ周部に嵌着されるリング型又は底付きリング型のものとする。配管半製品を製作した後、配管継手６の開放雌ねじ孔にこのキャップ１ａを嵌めておき、その状態で配管半製品の搬送、貯蔵を行って、現場で配管を組み立てるときに、このキャップ１ａを外して機器や管を接続する。【選択図】　　　図２
0003097233.tif 000002
【実用新案登録請求の範囲】
【請求項１】
配管継手の雌ねじ孔に内挿嵌着される円筒部（２）と、その一端を閉鎖する底板（３）と、その反対端の外周側に延在するフランジ部（４）と、前記円筒部の内周側に形成した径方向の摘み（５）とを合成樹脂材で一体成形してなる、配管半製品用防錆キャップ。
【請求項２】
前記円筒部の外面にこれを内挿嵌着する雌ねじ孔の螺条に螺合する一条の雄ねじ条ないし部分雄ねじ条（１１）を備えている、請求項１記載の配管半製品用防錆キャップ。
【請求項３】
配管継手の雌ねじ孔に内挿嵌着される内側円筒部（２）と、当該雌ねじ孔の外周面に外挿される短円筒部（１２）と、両円筒部（２，１２）の一側端部において当該両円筒部間に形成される隙間を閉鎖するリング板（１３）とを合成樹脂材で一体成形してなる、配管半製品用防錆キャップ。
【請求項４】
内側円筒部（２）の前記リング板を形成した端部の反対側の端部の内孔を閉鎖する底板（３）を備えている、請求項３記載の配管半製品用防錆キャップ。
【請求項５】
所定長さに切断してその両端外周に雄ねじ（９）を加工した管（８）と、その少なくとも一端に螺着された開放雌ねじ孔（７）を有する配管継手（６）とを備えた配管半製品において、前記開放雌ねじ孔に請求項１、２、３又は４記載の防錆キャップが嵌着されている、配管半製品。
【考案の詳細な説明】
【０００１】
【考案が属する技術分野】
この考案は、所定長さに切断した管の端部にエルボやチーズなどの配管継手を取付けた配管半製品の雌ねじ孔に装着する防錆キャップ及びそのような防錆キャップを嵌着した配管半製品に関するものである。
【０００２】
【従来の技術】
スプリンクラー配管や空調配管などの設備配管を行うとき、所定長さに切断した管の端部にエルボやチーズなどの継手をねじ込んだ半製品を工場で組み立て、これを建築現場に搬入し、現場で所定の配管に組み立てている。配管半製品の管と継手の接続部のねじ面には、防錆機能も備えたシール剤が塗布され、継手からはみ出している雄ねじ部分には防錆塗料が塗布されており、継手が接続されない管端には、雄ねじを保護する樹脂製キャップを嵌めている。
【０００３】
しかし継手の雌ねじ孔は露出されたままとなっており、配管半製品を製作してから現場で組み立てる迄の間に、雌ねじ孔に雨水や結露水が付着してねじ面が錆びることが多く発生しているのが実情である。また、配管半製品が現場に搬入されてから組み立てられる迄の間、現場で野ざらしにされることも多く、その間に小石や木の葉などの異物が配管用半製品に入り込む危険がある。従来、この問題は見過ごされてそのまま配管の組み立てを行っていたが、品質の点で好ましくない。
【０００４】
【考案が解決しようとする課題】
この考案は、上記問題を解決するためになされたもので、配管半製品の雌ねじ孔が錆びるのを防止し、更に配管半製品内に異物が入り込むのを防止することができる簡単で安価な技術手段を提供することを課題としている。
【０００５】
【課題を解決するための手段】
この考案は、管８に接続された配管継手６の開放された雌ねじ孔７に嵌挿される合成樹脂製のキャップ１ａ、１ｂ、１ｃ、１ｄを提供することにより、上記課題を解決している。このキャップは、好ましくは一条の雄ねじを設けたプラグ型のもの１ａ、１ｂか、配管継手の雌ねじ周部に嵌着されるリング型又は底付きリング型のもの１ｃ、１ｄとする。
【０００６】
配管半製品を製作した後、配管継手６の開放雌ねじ孔にこのキャップ１ａ、１ｂ、１ｃ、１ｄを嵌めておき、その状態で配管半製品の搬送、貯蔵を行って、現場で配管を組み立てるときに、このキャップ１ａ、１ｂ、１ｃ、１ｄを外して機器や管を接続する。外したキャップ１ａ、１ｂ、１ｃ、１ｄは、使い捨てとしても良いが、回収して再使用することができる。
【０００７】
本願請求項１の考案に係る配管半製品用防錆キャップは、配管継手の雌ねじ孔に内挿嵌着される円筒部２と、その一端を閉鎖する底板３と、その反対端の外周側に延在するフランジ部４と、前記円筒部の内周側に形成した径方向の摘み５とを合成樹脂材で一体成形してなるものである。
【０００８】
本願請求項２の考案は、上記構造の防錆キャップにおける前記円筒部の外面に、これを内挿嵌着する雌ねじ孔の螺条に螺合する一条の雄ねじ条ないし部分雄ねじ条１１を備えている、請求項１記載の配管半製品用防錆キャップである。
【０００９】
また本願請求項３の考案に係る配管半製品用防錆キャップは、配管継手の雌ねじ孔に内挿嵌着される内側円筒部２と、当該雌ねじ孔の外周面に外挿される短円筒部１２と、両円筒部２、１２の一側端部において当該両円筒部間に形成される隙間を閉鎖するリング板１３とを合成樹脂材で一体成形してなるものである。
【００１０】
また本願請求項４の考案は、上記請求項３記載の防錆キャップにおける内側円筒部２の前記リング板を形成した端部の反対側の端部の内孔を閉鎖する底板３を備えている、請求項３記載の配管半製品用防錆キャップである。
【００１１】
本願請求項５の考案は、所定長さに切断してその両端外周に雄ねじ９を加工した管８と、その少なくとも一端に螺着された開放雌ねじ孔７を有する配管継手６とを備えた配管半製品において、前記開放雌ねじ孔に請求項１、２、３又は４記載の防錆キャップが嵌着されている、配管半製品である。
【００１２】
【考案の実施の形態】
以下、図面を参照して、この考案の実施形態を説明する。図１及び図２には、この考案の第１実施例の防錆キャップ１ａが示されている。図の防錆キャップ１ａは、円筒部２と、その一端を閉鎖する底板３と、円筒部２の反対端の外周側に延在するフランジ部４と、円筒部２の内周側に形成した直径方向の板状の摘み５とを射出成型により一体成形した合成樹脂製品で、その円筒部２の外周は、配管継手６の雌ねじ孔７にちょうど嵌着される寸法となっている。配管継手６には、種々の呼び径のものがあるが、各呼び径の雌ねじ孔の寸法は一定であるから、それぞれの呼び径の雌ねじ孔に適合した複数種類の防錆キャップを準備する。
【００１３】
配管半製品は、図２に示すように、所定長さに切断した管８の両端に管用雄ねじを加工し、当該管用雄ねじにシール材を塗布して指定された形状の配管継手６をねじ込んで取付けたものである。配管継手６からはみ出した雄ねじ部９は、防錆塗料が塗布され、また、管８の図示されない反対端の雄ねじ部には、従来公知の雄ねじ用の防錆キャップが嵌着されている。従来の配管半製品では、配管継手６の雌ねじ孔７は、開放されたままの状態となっていたが、この考案の配管半製品では、この開放雌ねじ孔７に、この考案の防錆キャップ１ａが嵌着されている。防錆キャップ１ａは、配管半製品を製作したあと直ちに嵌着し、その状態で配管半製品の搬送及び貯蔵を行い、現場で配管を組立てる直前に取外す。
【００１４】
図３に示した第２実施例の防錆キャップ１ｂは、第１実施例の防錆キャップ１ａの円筒部外面に一条の部分雄螺条１１を成形したもので、この部分螺条１１を取付けようとする配管継手の雌ねじ孔の螺条に螺合させた状態で、当該雌ねじ孔に防錆キャップ１ｂを嵌着する。この第２実施例のものは、防錆キャップが雌ねじ孔に螺着されるので、脱落の防止と取外すときの作業性を両立させることができる。
【００１５】
図４及び図５には、第３実施例の防錆キャップが示されている。この第３実施例の防錆キャップ１ｃは、内側円筒部２と所定の隙間ｓを隔てて、その外側に位置する短円筒部１２と、両円筒部２、１２の位置側端部において、当該両円筒部間に形成される隙間ｓを閉鎖するリング板１３とを射出成型により一体成形した合成樹脂製品である。内側円筒部２の外周は、これを嵌着しようとする配管継手の雌ねじ孔７にちょうど嵌合する外径とされ、かつ短円筒部１２の内周は、配管継手６の開口部の外周１４に緩く嵌挿される内径としてある。
【００１６】
この第３実施例の防錆キャップ１ｃは、図５に示すように、配管半製品を製作したあと管８に取付けた配管継手６の開放された雌ねじ孔７に嵌着されて、当該雌ねじ孔が錆びるのを防止している。
【００１７】
図６に示す第４実施例の防錆キャップ１ｄは、第３実施例の防錆キャップ１ｃの内側円筒部２のリング板１３を設けた側と反対側の端部に内側円筒部２の内孔を閉鎖する底板３を一体に成形したものである。
【００１８】
第３実施例の防錆キャップ１ｃでは、雌ねじ孔の防錆は可能であるが、雌ねじ孔内に異物が入り込むのを防止することができない。第４実施例の防錆キャップ１ｄは、配管半製品の管内に異物が侵入するのを底板３で防止することができる。
【００１９】
これらの防錆キャップは、射出成形品として安価に製造できるので、使い捨てとしてもよいが、配管組立て時に取外され、かつ装着や取外しによって損傷することもないから、回収して繰り返し使用するのが環境保護や資源保護の点で好ましい。
【００２０】
【考案の効果】
以上説明したこの考案によれば、配管半製品の雌ねじ孔が貯蔵中に錆びたり、当該雌ねじ孔から管内に異物が侵入するのを防止することができ、その着脱も容易であるから、安価にかつ手数をかけることなく、配管半製品の雌ねじ孔の錆びや管内への異物の侵入を防止することができる。
【図面の簡単な説明】
【図１】第１実施例の防錆キャップの斜視図
【図２】図１の防錆キャップを取付けた配管半製品の要部の断面図
【図３】第２実施例の防錆キャップの斜視図
【図４】第３実施例の防錆キャップの斜視図
【図５】第３実施例の防錆キャップを取付けた配管半製品の要部の断面図
【図６】第４実施例の防錆キャップの断面図
【符号の説明】
２　円筒部
３　底板
４　フランジ部
５　摘み
７　ねじ孔
８　管
９　雄ねじ部
１１　部分螺条
１２　外側の円筒部
１３　リング状底部
【図１】
0003097233.tif 000003
【図２】
0003097233.tif 000004
【図３】
0003097233.tif 000005
【図４】
0003097233.tif 000006
【図５】
0003097233.tif 000007
【図６】
0003097233.tif 000008